【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
オーディオ信号を符号化するための方法であって、前記方法は、
第１のエンコーダにおける第１の領域分析を使用して、前記オーディオ信号の第１のフレームを符号化することと、
前記第１のフレームの符号化の間に、前記オーディオ信号のハイバンド推定値、または前記オーディオ信号の少なくとも一部分の合成バージョンに対応するベースバンド信号を生成することと、
第２のエンコーダにおける第２の領域分析を使用して、前記オーディオ信号の第２のフレームを、前記第２のフレームと関連付けられるハイバンドパラメータを生成するために、前記ベースバンド信号を表す第１のデータと前記第２のフレームのハイバンド部分を表す第２のデータとを処理することによって、符号化することと、
を備える、方法。
【請求項２】
前記第１の領域分析と前記第２の領域分析とは、それぞれ、周波数領域分析と時間領域分析とを備え、前記第２のフレームは、前記オーディオ信号において前記第１のフレームに連続的に続く、請求項１に記載の方法。
【請求項３】
前記オーディオ信号の前記第１のフレームは、変換ベースのエンコーダを使用して符号化される、請求項１に記載の方法。
【請求項４】
前記オーディオ信号の前記第１のフレームは、修正離散コサイン変換（ＭＤＣＴ）エンコーダを使用して符号化される、請求項１に記載の方法。
【請求項５】
前記オーディオ信号の前記第２のフレームは、ターゲット信号バッファに前記第１のデータおよび前記第２のデータを記憶する線形予測（ＬＰ）ベースのエンコーダを使用して符号化される、請求項１に記載の方法。
【請求項６】
前記オーディオ信号の前記第２のフレームは、帯域幅拡張を実行するように構成された代数符号励振線形予測（ＡＣＥＬＰ）エンコーダを使用して符号化される、請求項１に記載の方法。
【請求項７】
前記ベースバンド信号を生成することは、フリップ動作とデシメーション動作とを実行することを含む、請求項１に記載の方法。
【請求項８】
前記ベースバンド信号を生成することは、高次のフィルタ処理動作を実行することを含まず、および、ダウンミキシング動作を実行することを含まない、請求項１に記載の方法。
【請求項９】
前記第２のエンコーダは、前記第２のエンコーダのターゲット信号バッファの第１の部分に前記第１のデータを記憶し、前記ターゲット信号バッファの第２の部分に前記第２のデータを記憶する、請求項１に記載の方法。
【請求項１０】
前記第１のエンコーダおよび前記第２のエンコーダは、モバイル通信デバイスに含まれる、請求項１に記載の方法。
【請求項１１】
前記ベースバンド信号を生成することは、前記第１のエンコーダのローカルデコーダを使用することを備え、前記第２のエンコーダのターゲット信号バッファに前記第１のデータをコピーすることをさらに備える、請求項１に記載の方法。
【請求項１２】
前記オーディオ信号の前記ハイバンド部分を近似する結果信号を生成するために、前記ベースバンド信号に対してフリップ動作とデシメーション動作とを実行することと、
前記結果信号に基づいて、前記第２のエンコーダのターゲット信号バッファにポピュレートすることと、
をさらに備える、請求項１に記載の方法。
【請求項１３】
オーディオ信号を復号するための方法であって、前記方法は、
第１のエンコーダにおける第１の領域分析を使用して符号化された前記オーディオ信号の第２のフレームに基づく第２のビットの、および、第２のエンコーダにおける第２の領域分析を使用して符号化された前記オーディオ信号の第１のフレームに基づく第１のビットのビットストリームを受信することと、前記第１のフレームは、ベースバンド信号を表す第１のデータと前記第１のフレームのハイバンド部分を表す第２のデータとを処理することによって符号化され、ここで、前記ベースバンド信号は、第３のフレームのハイバンド推定値、または前記第３のフレームの少なくとも一部分の合成バージョンに基づいて前記第１のエンコーダによって生成され、
第１のデコーダと第２のデコーダとを含むデバイスにおいて、前記第２のデコーダおよび前記第１のビットを使用して前記第１のフレームの符号化バージョンを復号することと、前記第２のデコーダは、前記第２のフレームの一部分に対応する重複データを生成し、
前記第１のデコーダおよび前記第２のビットを使用して前記第２のフレームの符号化バージョンを復号することと、前記復号することは、前記第２のデコーダからの前記重複データを使用して平滑化動作を適用することを含む、
を備える、方法。
【請求項１４】
前記第１のデコーダは、修正離散コサイン変換（ＭＤＣＴ）デコーダを備え、前記第２のデコーダは、帯域幅拡張パラメータに基づいて算出を実行する代数符号励振線形予測（ＡＣＥＬＰ）デコーダを備え、前記重複データは、前記第２のフレームの２０オーディオサンプルに対応するデータを備える、請求項１３に記載の方法。
【請求項１５】
前記第１の領域分析と前記第２の領域分析とは、それぞれ、周波数領域分析と時間領域分析とを備える、請求項１３に記載の方法。
【請求項１６】
前記平滑化動作は、クロスフェード動作を含み、前記第１のデコーダおよび前記第２のデコーダは、モバイル通信デバイスに含まれる、請求項１３に記載の方法。
【請求項１７】
オーディオ信号を符号化するための装置であって、前記装置は、
アンテナと、
第１の領域分析に基づいて、前記オーディオ信号の第１のフレームを符号化することと、
前記第１のフレームの符号化の間に、前記オーディオ信号のハイバンド推定値、または、前記オーディオ信号の少なくとも一部分の合成バージョンに対応するベースバンド信号を生成することと、
を行うように構成された第１のエンコーダと、
第２の領域分析と、
前記ベースバンド信号を表す第１のデータと第２のフレームのハイバンド部分を表す第２のデータと、
に基づいて、前記オーディオ信号の第２のフレームを符号化するように構成された第２のエンコーダと、第２のエンコーダは、前記第２のフレームと関連付けられるハイバンドパラメータを生成するように構成され、
前記アンテナに結合され、前記ベースバンド信号と関連付けられる符号化オーディオ信号を送信するように構成された送信機と、
を備える、装置。
【請求項１８】
前記第１の領域分析と前記第２の領域分析とは、それぞれ、周波数領域分析と時間領域分析とを備え、前記第２のフレームは、前記オーディオ信号において前記第１のフレームに連続的に続く、請求項１７に記載の装置。
【請求項１９】
前記第１のエンコーダは、修正離散コサイン変換（ＭＤＣＴ）エンコーダを備え、
前記第２のエンコーダは、ターゲット信号バッファに前記第１のデータまたは前記第２のデータのうちの少なくとも１つを記憶することと、帯域幅拡張を実行することとを行うように構成された代数符号励振線形予測（ＡＣＥＬＰ）エンコーダを備え、
前記第１のエンコーダおよび前記第２のエンコーダは、モバイル通信デバイスに統合される、
請求項１７に記載の装置。
【請求項２０】
前記第１のエンコーダは、高次のフィルタ処理動作を実行せずに、および、ダウンミキシング動作を実行せずに、フリップ動作を使用して、およびデシメーション動作を使用して、前記ベースバンド信号を生成するように構成される、請求項１７に記載の装置。
【請求項２１】
オーディオ信号を符号化するための装置であって、前記装置は、
アンテナと、
第１の領域分析に基づいて、オーディオ信号の第１のフレームを符号化するように構成された第１のエンコーダと、
第２の領域分析に基づいて、前記オーディオ信号の第２のフレームを符号化する間に、前記第１のフレームの第１の部分の信号推定値を生成することと、
前記信号推定値に基づいて第１のデータで、および、前記オーディオ信号の第２のフレームのハイバンド部分を表す第２のデータで、第２のエンコーダのバッファにポピュレートすることと、
前記バッファに記憶された前記第１のデータおよび前記第２のデータに基づいて、前記第２のフレームと関連付けられるハイバンドパラメータを生成することと、
を行うように構成された第２のエンコーダと、
前記アンテナに結合され、前記オーディオ信号と関連付けられる符号化オーディオ信号を送信するように構成された送信機と、
を備える、装置。
【請求項２２】
前記信号推定値は、前記第２のフレームのデータに基づく外挿動作に基づく、請求項２１に記載の装置。
【請求項２３】
前記信号推定値は、後方線形予測に基づく、請求項２１に記載の装置。
【請求項２４】
前記信号推定値は、前記第１のフレームと関連付けられるエネルギーを示すエネルギー情報に基づく、請求項２１に記載の装置。
【請求項２５】
前記第１のエンコーダに結合された第１のバッファをさらに備え、
前記第１のフレームと関連付けられる前記エネルギーは、前記第１のバッファと関連付けられる第１のエネルギーに基づいて決定され、前記第１のフレームと関連付けられる前記エネルギーは、前記第１のバッファのハイバンド部分と関連付けられる第２のエネルギーに基づいて決定される、請求項２４に記載の装置。
【請求項２６】
前記符号化オーディオ信号を変調するように構成された変調器をさらに備える、請求項２１に記載の装置。
【請求項２７】
前記アンテナ、前記送信機、および前記変調器は、モバイル通信デバイスに統合される、請求項２６に記載の装置。
【請求項２８】
前記第１の領域分析と前記第２の領域分析とは、それぞれ、周波数領域分析と時間領域分析とを備え、
前記信号推定値は、前記第１のフレームの第１のフレームタイプ、前記第２のフレームの第２のフレームタイプ、またはそれら両方に少なくとも部分的に基づき、
前記第１のフレームタイプは、有声フレームタイプ、無声フレームタイプ、過渡フレームタイプ、または一般フレームタイプを備え、
前記第２のフレームタイプは、前記有声フレームタイプ、前記無声フレームタイプ、前記過渡フレームタイプ、または前記一般フレームタイプを備える、請求項２１に記載の装置。
【請求項２９】
前記第１のフレームの前記第１の部分は、持続時間において約５ミリ秒であり、前記第２のフレームは、持続時間において約２０ミリ秒である、請求項２１に記載の装置。
【請求項３０】
前記信号推定値は、前記第１のフレームの局所的に復号されたローバンド部分、前記第１のフレームの局所的に復号されたハイバンド部分、またはそれら両方と関連付けられるエネルギーに基づく、請求項２１に記載の装置。
【請求項３１】
オーディオ信号を復号するための装置であって、前記装置は、
第１のエンコーダにおける第１の領域分析を介して符号化される前記オーディオ信号の第２のフレームに対応する第２のビットの、および、第２のエンコーダにおける第２の領域分析を介して符号化される前記オーディオ信号の第１のフレームに対応する第１のビットの、ビットストリームを受信するように構成された受信機と、前記第１のフレームは、ベースバンド信号を表す第１のデータと前記第１のフレームのハイバンド部分を表す第２のデータとを処理することによって符号化され、ここで、前記ベースバンド信号は、第３のフレームのハイバンド推定値、または前記第３のフレームの少なくとも一部分の合成バージョンに基づいて前記第１のエンコーダによって生成され、
前記第２のビットに基づく前記第２のフレームの符号化バージョンの復号の間に、前記第２のフレームの一部分に対応する重複データを使用して平滑化動作を適用するように構成された第１のデコーダと、
前記第１のフレームの符号化バージョンを復号することと、前記重複データを生成することとを行うように構成された第２のデコーダと、
を備える、装置。
【請求項３２】
前記受信機に結合されたアンテナをさらに備え、前記第１の領域分析と前記第２の領域分析とは、それぞれ、周波数領域分析と時間領域分析とを備え、前記平滑化動作は、クロスフェード動作を含み、前記アンテナ、前記受信機、前記第１のデコーダ、および前記第２のデコーダは、モバイル通信デバイスに統合される、請求項３１に記載の装置。
【請求項３３】
命令を記憶したコンピュータ可読記憶デバイスであって、前記命令は、プロセッサによって実行されると、前記プロセッサに、
第１のエンコーダにおける第１の領域分析を使用して、オーディオ信号の第１のフレームを符号化することと、
前記第１のフレームの符号化の間に、前記オーディオ信号のハイバンド推定値、または、前記オーディオ信号の少なくとも一部分の合成バージョンに対応するベースバンド信号を生成することと、
第２のエンコーダにおける第２の領域分析を使用して、前記オーディオ信号の第２のフレームを符号化することと、ここで、前記第２のフレームを符号化することは、前記第２のフレームと関連付けられるハイバンドパラメータを生成するために、前記ベースバンド信号を表す第１のデータと前記第２のフレームのハイバンド部分を表す第２のデータとを処理することを含む、
を備える、オーディオ信号を符号化するための動作を実行させる、コンピュータ可読記憶デバイス。
【請求項３４】
前記第１のエンコーダは、変換ベースのエンコーダを備え、前記第２のエンコーダは、線形予測（ＬＰ）ベースのエンコーダを備える、請求項３３に記載のコンピュータ可読記憶デバイス。
【請求項３５】
前記ベースバンド信号を生成することは、フリップ動作とデシメーション動作とを実行することを含み、
前記動作は、前記第１のデータに少なくとも部分的に基づいて、前記第２のエンコーダのターゲット信号バッファの第１の部分にポピュレートすることと、前記第２のデータに少なくとも部分的に基づいて、前記ターゲット信号バッファの第２の部分にポピュレートすることとをさらに備える、
請求項３３に記載のコンピュータ可読記憶デバイス。
【請求項３６】
前記ベースバンド信号は、前記第１のエンコーダのローカルデコーダを使用して生成される、請求項３３に記載のコンピュータ可読記憶デバイス。
【請求項３７】
オーディオ信号を符号化するための装置であって、前記装置は、
第１の領域分析に基づいて、オーディオ信号の第１のフレームを符号化するための第１の手段と、符号化するための前記第１の手段は、前記第１のフレームの符号化の間に、前記オーディオ信号のハイバンド推定値、または前記オーディオ信号の少なくとも一部分の合成バージョンに対応するベースバンド信号を生成するように構成され、
第２の領域分析に基づいて、前記オーディオ信号の第２のフレームを、前記第２のフレームと関連付けられるハイバンドパラメータを生成するために、前記ベースバンド信号を表す第１のデータと前記第２のフレームのハイバンド部分を表す第２のデータとを処理することに基づいて、符号化するための第２の手段と、
前記オーディオ信号と関連付けられる符号化オーディオ信号を送信するための手段と、
を備える、装置。
【請求項３８】
前記第１の領域分析と前記第２の領域分析とは、それぞれ、周波数領域分析と時間領域分析とを備え、
符号化するための前記第１の手段、符号化するための前記第２の手段、および送信するための前記手段は、モバイル通信デバイス、スマートフォン、セルラーフォン、ラップトップコンピュータ、コンピュータ、タブレットコンピュータ、携帯情報端末、ディスプレイデバイス、テレビ、ゲーム機、音楽プレーヤ、ラジオ、デジタルビデオプレーヤ、光ディスクプレーヤ、チューナー、カメラ、ナビゲーションデバイス、デコーダシステム、またはエンコーダシステムのうちの少なくとも１つに統合される、請求項３７に記載の装置。
【請求項３９】
符号化するための前記第１の手段は、フリップ動作とデシメーション動作とを実行することによって前記ベースバンド信号を生成するようにさらに構成され、符号化するための前記第２の手段は、ターゲット信号バッファに前記第１のデータおよび前記第２のデータを記憶するようにさらに構成される、請求項３７に記載の装置。
【請求項４０】
符号化するための前記第１の手段は、ローカルデコーダを使用して前記ベースバンド信号を生成するようにさらに構成される、請求項３７に記載の装置。